(57)【特許請求の範囲】
【請求項１】
天井から天板上にコード類を配線するための柱状配線ダクトと水平配線ダクトとを備えたテーブル、デスクにおける配線装置であって、脚体に支持された天板の下方に前記水平配線ダクトのダクト本体杆を備えるとともに、該天板の側端よりも中央寄りに前記水平配線ダクトのダクト開口を形成し、前記柱状配線ダクトの下部を、前記ダクト開口を通して前記ダクト本体杆の終端部に固定して立設し、前記水平配線ダクトと柱状配線ダクトを連係してなることを特徴とするテーブル、デスクにおける配線装置。
【請求項２】
前記水平配線ダクトのダクト本体杆は、上方が開放された樋状長尺部材であり、前記両脚体間に終端部を連結して該脚体と共に前記天板の下面を支持し、前記天板に形成した単数又は複数の前記ダクト開口が前記ダクト本体杆の凹溝部の上方に位置してなる請求項１記載のテーブル、デスクにおける配線装置。
【請求項３】
前記ダクト本体杆の終端部に前記脚体の内面に連結する取付板を有し、前記柱状配線ダクトの下部を前記取付板と前記脚体の内面に共締めしてなる請求項１又は２記載のテーブル、デスクにおける配線装置。
【請求項４】
前記脚体の内面に上下に複数の締結ネジを螺合し、前記ダクト本体杆の取付板と、前記柱状配線ダクトの下部に、前記締結ネジの頭部を挿入する大径孔と、その上方に前記締結ネジの軸部を受け入れ且つ頭部より幅の狭い小径孔とを連続したダルマ孔を複数形成し、前記脚体の内面に緩く螺合した前記締結ネジに、前記ダクト本体杆の取付板に形成したダルマ孔をそれぞれ係止して仮連結し、該脚体とダクト本体杆に前記天板を載置した状態で、前記ダクト開口を通して挿入した前記柱状配線ダクトのダルマ孔を前記締結ネジに係止した後、該締結ネジを本締めしてなる請求項３記載のテーブル、デスクにおける配線装置。
【請求項５】
前記柱状配線ダクトは、内側面側にコード類を収容する凹溝を有する柱部材と、該凹溝を塞ぐカバー部材とから形成され、前記柱部材の下部に前記ダルマ孔を形成してなる請求項４記載のテーブル、デスクにおける配線装置。
【請求項６】
前記ダクト本体杆の終端部に固定して立設した前記柱状配線ダクトの外側面に、前記天板の側端側のダクト開口側縁を当止し、その位置決め状態で、該天板を下方から、前記脚体の上端に設けた水平杆と、ダクト本体杆の両側上端に形成した補強鍔部に、ネジ止めしてなる請求項１〜５何れか１項に記載のテーブル、デスクにおける配線装置。
【発明の詳細な説明】
【技術分野】
【０００１】
本発明は、テーブル、デスクにおける配線装置に係わり、更に詳しくは天井から天板上にコード類を配線するための配線装置に関するものである。
【背景技術】
【０００２】
従来から、床面に配線機能が無い場合や、床面に配線することが好ましくない場合等に、天板上に天井からコード類を配線するための柱状配線ダクトを備えたテーブルあるいはデスクは各種提供されている。
【０００３】
例えば、特許文献１、２には、前後のデスクの後端部間に水平配線ダクトを設けるとともに、水平配線ダクトの端部にデスクの天板側面と面一となして柱状配線ダクトを立設し、天井から引き出したコード類を柱状配線ダクトの内部を通して水平配線ダクトに配線する構造が開示されている。特許文献１では、水平配線ダクトを設けたデスクの側端に交差するように他のデスクの背面を接合して設置し、該デスクの背面等に沿って配置した前記柱状配線ダクトの上下端を天井と床面に固定金具で固定する構造である。一方、特許文献２では、前後デスクの脚体の間に柱状配線ダクトの下部を挟んだ状態で設置され、この場合もデスク天板の側端と柱状配線ダクトの端面は面一となっている。尚、前記柱状配線ダクトの上端は天井まで達しない場合もある点も記載されている。
【０００４】
特許文献３には、左右の脚で前後に間隔を設けて一対の天板を支持するとともに、前後天板間の下方に水平配線ダクトを設け、更に脚の前後中央で前記水平配線ダクトの端部の位置に前後一対のポールを立設するとともに、両ポール間にカバー係合部を備えたダクト部材が全長にわたって固定され、半筒状の配線用カバーを前記カバー係合部に着脱可能に係合して柱状配線ダクトを構成し、天井からデスクにコード類を配線する機能を備えたデスク配線機構が開示されている。また、前記柱状配線ダクトの上端にケーブル受を設け、天井からケーブル受を通じて柱状配線ダクト内に配線し、水平配線ダクトを通して天板上にコード類を導くというものである。
【先行技術文献】
【特許文献】
【０００５】
【特許文献１】特開平０７−３３１８５５号公報
【特許文献２】特開２００４−２２９４７５号公報
【特許文献３】特開２００４−１３６００８号公報
【発明の概要】
【発明が解決しようとする課題】
【０００６】
しかしながら、従来のテーブルやデスクにおける柱状配線ダクトの支持構造は、天井や床面に固定金具で固定する等の作業が必要であったり、前後に設置した天板間に挟んだ状態で適宜な手段で脚部に固定する必要があり、施工に手間がかかっていた。更に、従来の柱状配線ダクトは天板の外側に配置しているので、柱状配線ダクトを立設したテーブルやデスクの天板に他のテーブルやデスクを並べて設置する場合、あるいは天板側端を壁面に接近させて設置する場合に、前記柱状配線ダクトが邪魔になることがあった。
【０００７】
そこで、本発明が前述の状況に鑑み、解決しようとするところは、水平配線ダクトを備えたテーブルあるいはデスクの天板から外側に突出しない位置に、コード類を天井から天板上に配線するための柱状配線ダクトを簡単且つ強固に立設することができ、しかも水平配線ダクトとの連係にも優れているテーブル、デスクにおける配線装置を提供する点にある。
【課題を解決するための手段】
【０００８】
本発明は、前述の課題解決のために、天井から天板上にコード類を配線するための柱状配線ダクトと水平配線ダクトとを備えたテーブル、デスクにおける配線装置であって、脚体に支持された天板の下方に前記水平配線ダクトのダクト本体杆を備えるとともに、該天板の側端よりも中央寄りに前記水平配線ダクトのダクト開口を形成し、前記柱状配線ダクトの下部を、前記ダクト開口を通して前記ダクト本体杆の終端部に固定して立設し、前記水平配線ダクトと柱状配線ダクトを連係してなることを特徴とするテーブル、デスクにおける配線装置を構成した（請求項１）。
【０００９】
ここで、前記水平配線ダクトのダクト本体杆は、上方が開放された樋状長尺部材であり、前記両脚体間に終端部を連結して該脚体と共に前記天板の下面を支持し、前記天板に形成した単数又は複数の前記ダクト開口が前記ダクト本体杆の凹溝部の上方に位置してなることが好ましい（請求項２）。
【００１０】
そして、前記ダクト本体杆の終端部に前記脚体の内面に連結する取付板を有し、前記柱状配線ダクトの下部を前記取付板と前記脚体の内面に共締めしてなることがより好ましい（請求項３）。
【００１１】
具体的には、前記脚体の内面に上下に複数の締結ネジを螺合し、前記ダクト本体杆の取付板と、前記柱状配線ダクトの下部に、前記締結ネジの頭部を挿入する大径孔と、その上方に前記締結ネジの軸部を受け入れ且つ頭部より幅の狭い小径孔とを連続したダルマ孔を複数形成し、前記脚体の内面に緩く螺合した前記締結ネジに、前記ダクト本体杆の取付板に形成したダルマ孔をそれぞれ係止して仮連結し、該脚体とダクト本体杆に前記天板を載置した状態で、前記ダクト開口を通して挿入した前記柱状配線ダクトのダルマ孔を前記締結ネジに係止した後、該締結ネジを本締めしてなる（請求項４）。
【００１２】
更に、前記柱状配線ダクトは、内側面側にコード類を収容する凹溝を有する柱部材と、該凹溝を塞ぐカバー部材とから形成され、前記柱部材の下部に前記ダルマ孔を形成してなることが好ましい（請求項５）。
【００１３】
また、前記ダクト本体杆の終端部に固定して立設した前記柱状配線ダクトの外側面に、前記天板の側端側のダクト開口側縁を当止し、その位置決め状態で、該天板を下方から、前記脚体の上端に設けた水平杆と、ダクト本体杆の両側上端に形成した補強鍔部に、ネジ止めしてなることも好ましい（請求項６）。
【発明の効果】
【００１４】
以上にしてなる請求項１に係る発明のテーブル、デスクにおける配線装置は、天井から天板上にコード類を配線するための柱状配線ダクトと水平配線ダクトとを備えたテーブル、デスクにおける配線装置であって、脚体に支持された天板の下方に前記水平配線ダクトのダクト本体杆を備えるとともに、該天板の側端よりも中央寄りに前記水平配線ダクトのダクト開口を形成し、前記柱状配線ダクトの下部を、前記ダクト開口を通して前記ダクト本体杆の終端部に固定して立設し、前記水平配線ダクトと柱状配線ダクトを連係してなるので、床面に配線できない場合でも、天井からコード類を柱状配線ダクトと水平配線ダクトを通して天板上に配線することができ、柱状配線ダクトを立設したテーブルやデスクの天板に他のテーブルやデスクを並べて設置する場合、あるいは天板側端を壁面に接近させて設置する場合にも、前記柱状配線ダクトが邪魔になることがないので、配置の自由度が高くなる。
【００１５】
請求項２によれば、前記水平配線ダクトのダクト本体杆は、上方が開放された樋状長尺部材であり、前記両脚体間に終端部を連結して該脚体と共に前記天板の下面を支持し、前記天板に形成した単数又は複数の前記ダクト開口が前記ダクト本体杆の凹溝部の上方に位置してなるので、両脚体間にダクト本体杆を連結するとともに、脚体とダクト本体杆とで天板の下面を支持するので、支持強度が高くなり、全体の剛性も高くなる。尚、前記ダクト開口は単数でも複数でも良いが、複数の場合には、間歇的に設けることになるので、天板の分断部分が少なくなり、天板の強度を維持することができ、また水平配線ダクトから天板上にコード類を引き出す位置を制限することができるので、コード類の乱雑さがなくなる。
【００１６】
請求項３によれば、前記ダクト本体杆の終端部に前記脚体の内面に連結する取付板を有し、前記柱状配線ダクトの下部を前記取付板と前記脚体の内面に共締めしてなるので、組み立て作業性が良くなり、また柱状配線ダクトも取付板を介して脚体に強固に取付けることができる。
【００１７】
請求項４によれば、前記脚体の内面に上下に複数の締結ネジを螺合し、前記ダクト本体杆の取付板と、前記柱状配線ダクトの下部に、前記締結ネジの頭部を挿入する大径孔と、その上方に前記締結ネジの軸部を受け入れ且つ頭部より幅の狭い小径孔とを連続したダルマ孔を複数形成し、前記脚体の内面に緩く螺合した前記締結ネジに、前記ダクト本体杆の取付板に形成したダルマ孔をそれぞれ係止して仮連結し、該脚体とダクト本体杆に前記天板を載置した状態で、前記ダクト開口を通して挿入した前記柱状配線ダクトのダルマ孔を前記締結ネジに係止した後、該締結ネジを本締めしてなるので、両脚体間にダクト本体杆を締結ネジとダルマ孔の係合によって仮連結することができ、それにより作業性が向上し、その状態で脚体とダクト本体杆に上に天板を載置しても安定であり、そしてダクト開口に上方から柱状配線ダクトの下部をダクト本体杆の内部に挿入し、該下部に形成したダルマ孔を前記締結ネジに係合させて仮連結することでき、手を離すことができるので、電動ドライバーをダクト開口からダクト本体杆の内部に挿入して前記締結ネジを本締めすることができ、脚体とダクト本体杆と柱状配線ダクトとを強固に連結することができる。
【００１８】
請求項５によれば、前記柱状配線ダクトは、内側面側にコード類を収容する凹溝を有する柱部材と、該凹溝を塞ぐカバー部材とから形成され、前記柱部材の下部に前記ダルマ孔を形成してなるので、柱状配線ダクトへのコード類の配線が容易であり、また柱部材のダルマ孔を利用してダクト本体杆の取付板と同時に脚体の内面に共締めすることにより支持強度が高くなる。
【００１９】
請求項６によれば、前記ダクト本体杆の終端部に固定して立設した前記柱状配線ダクトの外側面に、前記天板の側端側のダクト開口側縁を当止し、その位置決め状態で、該天板を下方から、前記脚体の上端に設けた水平杆と、ダクト本体杆の両側上端に形成した補強鍔部に、ネジ止めしてなるので、天板の下面に予めオニメナットを埋設する等して所定位置に設けた螺孔に、下方からネジ止めする際の天板の位置決めが容易になり、組み立て作業性が格段に向上する。
【図面の簡単な説明】
【００２０】
【図１】本発明に係る配線装置を備えたテーブルの全体斜視図である。
【図２】同じく正面図である。
【図３】同じく側面図である。
【図４】同じく要部の分解斜視図である。
【図５】同じく要部の部分拡大斜視図である。
【図６】柱状配線ダクトと水平配線ダクトとの関係を示す部分横断平面図である。
【図７】同じく部分縦断側面図である。
【図８】柱状配線ダクトを水平配線ダクト内に取付ける前の状態を示した分解縦断正面図である。
【図９】同じく柱状配線ダクトを水平配線ダクト内に取付けた後の状態を示した分解縦断正面図である。
【図１０】水平配線ダクトのダクトカバーの着脱構造を示す部分平面図である。
【発明を実施するための形態】
【００２１】
次に、添付図面に示した実施形態に基づき、本発明を更に詳細に説明する。図１〜図３は本発明に係る配線装置を備えたテーブルを示し、図４〜図１０はその詳細を示し、図中符号１は脚体、２は天板、３はビーム、４は水平配線ダクト、５は柱状配線ダクトをそれぞれ示している。尚、本発明はデスクであっても、何ら変更することなく、適用可能である。
【００２２】
本実施形態のテーブルは、両側に配した脚体１，１の下部間にビーム３を連結するとともに、上端部間に水平配線ダクト４を構成するダクト本体杆６を連結し、前記脚体１，１と該ダクト本体杆６とで天板２を支持する構造である。前記脚体１は、垂直な脚柱７の下端に接地杆８を前後方向に固定するとともに、脚柱７の上端に水平杆９を固定した、側面視倒Ｈ字形の構造であり、前記脚柱７の下部と上端部の内面側にそれぞれ前記ビーム３とダクト本体杆６とを連結している。
【００２３】
本発明は、天井から天板上にコード類を配線するための柱状配線ダクト５と水平配線ダクト４とを備えたテーブル、デスクにおける配線装置であって、脚体１に支持された天板２の下方に前記水平配線ダクト４のダクト本体杆６を備えるとともに、該天板２の側端よりも中央寄りに前記水平配線ダクト４のダクト開口１０を形成し、前記柱状配線ダクト５の下部を、前記ダクト開口１０を通して前記ダクト本体杆６の終端部に固定して立設し、前記水平配線ダクト４と柱状配線ダクト５を連係してなるものである。
【００２４】
更に詳しくは、前記水平配線ダクト４のダクト本体杆６は、上方が開放された樋状長尺部材であり、前記両脚体１，１間に終端部を連結して該脚体１と共に前記天板２の下面を支持し、前記天板２に形成した単数又は複数の前記ダクト開口１０，…が前記ダクト本体杆６の凹溝部１１の上方に位置するようにしている。
【００２５】
そして、前記各ダクト開口１０には、ダクトカバー１２を着脱自在に設けている。本実施形態では、前記天板２は木質系の材質を用い、前記ダクトカバー１２も木質系の材質を用いて全体の外観性の統一を図っている。前記ダクト開口１０の左右開口縁、即ち前記ダクト本体杆６の凹溝部１１に沿った方向と交差する両開口縁と前記ダクトカバー１２の両側端縁の間に、コード類を引き出すことが可能な挿通孔１３，１３を形成している。尚、前記ダクト開口１０の前後縁と前記ダクトカバー１２の前後縁との間は着脱のための僅かなクリアランスを設けただけであり、前記天板２とダクトカバー１２の上面は略面一で実質的に連続している。
【００２６】
そして、図１、図４〜図９に示すように、前記ダクト本体杆６の終端部に前記脚体１の脚柱７の内面に連結する取付板１４を有し、前記柱状配線ダクト５の下部を前記取付板１４と前記脚体１の脚柱７の内面に共締めしている。ここで、前記柱状配線ダクト５は、内側面側にコード類を収容する凹溝１６を有する柱部材１５と、該凹溝１６を塞ぐカバー部材１７とから形成され、該柱部材１５の下端部にはカバー部材１７を設けないようにしている。前記柱部材１５は、アルミ押出し型材からなり、前記カバー部材１７は、合成樹脂製の押出し型材からなる。尚、前記柱部材１５の強度が足らない場合には、前記凹溝１６の内部に断面略コ字形のスチール製の補強部材を嵌着し、一体化する。
【００２７】
前記柱状配線ダクト５の下部を前記取付板１４と前記脚体１の脚柱７の内面に共締めする具体的な構造は、図４、図５、図８及び図９に示している。前記脚体１の脚柱７の上端部内面に、上下に複数の螺孔１８，１８を形成し、それぞれの螺孔１８に締結ネジ１９を螺合する。一方、前記ダクト本体杆６の取付板１４と、前記柱状配線ダクト５の柱部材１５の下部に、前記締結ネジ１９に対応するように、それぞれダルマ孔２０，２０とダルマ孔２１，２１を形成している。ここで、前記ダルマ孔２０，２１は、前記締結ネジ１９の頭部１９Ａを挿入する大径孔２０Ａ，２１Ａと、その上方に前記締結ネジ１９の軸部１９Ｂを受け入れ且つ頭部１９Ａより幅の狭い小径孔２０Ｂ，２１Ｂとを連続した形状である。そして、前記脚体１の脚柱７の内面に緩く螺合した前記締結ネジ１９，１９に、前記ダクト本体杆６の取付板１４に形成したダルマ孔２０，２０をそれぞれ係止して仮連結し、それから該脚体１とダクト本体杆６に前記天板２を載置した状態で、前記ダクト開口１０を通して挿入した前記柱状配線ダクト５の柱部材１５に形成したダルマ孔２１，２１を前記締結ネジ１９，１９に係止した後、該締結ネジ１９，１９を本締めする。
【００２８】
それから、前記ダクト本体杆６の終端部に固定して立設した前記柱状配線ダクト５の外側面に、前記天板２の側端側のダクト開口１０の側縁を当止し、その位置決め状態で、該天板２を下方から、前記脚体１の上端に設けた水平杆９と、ダクト本体杆６の両側上端に形成した補強鍔部２２，２２に、ネジ止めする。前記天板２の下面には、所定位置に予めオニメナット等を埋設して螺孔２３，…を形成しておき、前記脚体１の水平杆９と前記ダクト本体杆６の補強鍔部２２，２２に形成した取付孔２４，…に下方からネジ２５，…を挿入して前記螺孔２３，…に螺合する。ここで、前記天板２の下面は平面であるので、前記脚体１とダクト本体杆６に載置しただけでは、前記螺孔２３と取付孔２４の位置を合わせるのは難しいが、前述のようにダクト開口１０の側縁と柱状配線ダクト５の外側面を位置決めの基準とすることにより、容易に位置決めができるのである。
【００２９】
本実施形態では、前記ダクト開口１０は、前記天板２の前後中央部で左右方向の三箇所に形成している。そして、前記天板２の一側端側のダクト開口１０の外側端部に前記柱状配線ダクト５が位置している。前記ダクトカバー１２は、前記柱状配線ダクト５を立起状態で装着した状態でも前記ダクト開口１０に装着することができるようになっている。その場合にも、中央寄りの他側には前記挿通孔１３が形成される。
【００３０】
前記ダクト本体杆６は、スチール製で作製されており、前記凹溝部１１の横幅よりも前記ダクト開口１０の前後幅を広く設定し、該ダクト開口１０の内部の前後部に前記補強鍔部２２，２２が段状に位置し、この段状部２６，２６に前記ダクトカバー１２の前後縁部を載置できるようになっている。前記段状部２６，２６の左右中央には係合孔２７，２７をそれぞれ形成し、前記ダクトカバー１２の裏面の左右中央の前後縁部に突設したピン２８，２８を前記係合孔２７，２７に係入することにより、ダクト開口１０の内部の正確な位置に当該ダクトカバー１２を装着できるようにしている。更に、前記ダクトカバー１２の裏面の四隅部分にはマグネット２９，…を埋設し、前記段状部２６，２６に吸着して当該ダクトカバー１２を保持するようにしている。前記ダクトカバー１２をダクト開口１０から外すには、前記挿通孔１３から指を挿入して該ダクトカバー１２の一側部を持ち上げれば、前記マグネット２９，…が前記補強鍔部２２，２２から離れると同時に、前記ピン２８，２８が補強鍔部２２，２２の係合孔２７，２７から抜ける。
【００３１】
ここで、前記ダクトカバー１２は、左右対称形にすれば、前記ダクト開口１０に装着する際に向きを間違えることがなく、また左右両側に形成られる挿通孔１３，１３の幅が同じになり、外観的にも好ましくなる。そして、前記柱状配線ダクト５が、前記挿通孔１３に収まるように構成すれば、全てのダクト開口１０とダクトカバー１２を共通の形状にすることができる。
【００３２】
前述のように、前記脚体１の脚柱７の内面に緩く螺合した締結ネジ１９，１９に、前記ダクト本体杆６の取付板１４に形成したダルマ孔２０，２０と前記柱状配線ダクト５の柱部材１５に形成したダルマ孔２１，２１を係止して仮連結した後、前記締結ネジ１９，１９を本締めするが、このとき電動ドライバーを使用できるように、前記ダクト本体杆６の凹溝部１１の横幅と、前記ダクト開口１０の左右方向の長さに、十分に余裕を持たせている。本実施形態では、前記凹溝部１１の横幅は、約７０ｍｍであり、前記ダクト開口１０は１００ｍｍ×４００ｍｍに設定している。このようにすれば、電動ドライバーをダクト開口１０から前記凹溝部１１内に挿入し、前記締結ネジ１９，１９を軸方向から回転させることができる。
【００３３】
前記柱状配線ダクト５の柱部材１５は、図４及び図６に示すように、凹溝１６内の両側に係止条部３０，３０を形成し、両係止条部３０，３０に前記カバー部材１７の両側の脚片３１，３１を係脱可能に係合するようになっている。そして、前記凹溝１６とカバー部材１７とで、鉛直方向の閉じたダクト空間が形成される。尚、本実施形態では、前記係止条部３０の外側にも前記カバー部材１７で覆われない溝部が形成されており、前記ダクト空間に電源コード等の強電コード類を配線し、外側の溝部にＬＡＮケーブルや電話線等の弱電コード類を分離して配線することも可能である。勿論、全てのコード類を前記凹溝１６とカバー部材１７とで形成られたダクト空間に配線することも可能である。
【００３４】
そして、天井から前記柱状配線ダクト５にコード類を引き込むために、直接引き込んでも良いが、天井からのコード類と柱状配線ダクト５に配線するコード類をコネクタで接続することもあり、その場合にタップやプラグ等のコネクタ類を収容するための接続ボックス３２が前記柱部材１５の上端に固定されている。前記接続ボックス３２は、図１〜図３に示すように、上方へ開放した台形状を有し、その内部に余剰コード類を収容しておくことも可能である。また、前記柱状配線ダクト５の下端部で、前記ダクト本体杆６の凹溝部１１の内部に対応する部分には、前記カバー部材１７を設けてなく、前記柱部材１５の凹溝１６を露出させている。こうすることによって、前記水平配線ダクト４と柱状配線ダクト５が連通し、天井から下ろしたコード類を、柱状配線ダクト５を通して水平配線ダクト４に配線し、前記ダクト開口１０から天板２上に引き出すことができる。そして、前記ダクト開口１０にダクトカバー１２を装着した場合であっても、左右両側の挿通孔１３，１３の片方又は両方からコード類を引き出したままにできるのである。尚、前記ダクト開口１０に対応するダクト本体杆６の底面には、開口３３が設けられ、該開口３３を通して下方へコード類を引き出すこともできるとうにしている。
【００３５】
本発明に係るテーブルは、図１、図２、図５、図６及び図９に示すように、前記天板２の側端面よりも中央寄り位置に前記柱状配線ダクト５が立設されている。従って、前記天板２の側端を他のテーブルの天板の縁部に接合したり、壁面に接合する場合でも、前記柱状配線ダクト５が邪魔になることはない。更に、前記柱状配線ダクト５よりも側方の天板２の側部を積極的に利用できるように、前記脚体１から側方へ突出する長さを大きくして、側部に着座した使用者も余裕を持って天板２を利用できるようにすることも好ましい。更に、前記天板２の側部を半円状に側方へ突出させることも好ましい。このように、前記天板２の形状を自由に設定できるので、前記柱状配線ダクト５を天板２の側端よりも中央より寄り位置に設けたダクト開口１０の内部を利用して立設したからである。
【符号の説明】
【００３６】
１  脚体、                ２  天板、
３  ビーム、              ４  水平配線ダクト、
５  柱状配線ダクト、      ６  ダクト本体杆、
７  脚柱、                ８  接地杆、
９  水平杆、              １０  ダクト開口、
１１  凹溝部、            １２  ダクトカバー、
１３  挿通孔、            １４  取付板、
１５  柱部材、            １６  凹溝、
１７  カバー部材、        １８  螺孔、
１９  締結ネジ、          １９Ａ  頭部、
１９Ｂ  軸部、            ２０  ダルマ孔、
２１  ダルマ孔、          ２０Ａ，２１Ａ  大径孔、
２０Ｂ，２１Ｂ  小径孔、  ２２  補強鍔部、
２３  螺孔、              ２４  取付孔、
２５  ネジ、              ２６  段状部、
２７  係合孔、            ２８  ピン、
２９  マグネット、        ３０  係止条部、
３１  脚片、              ３２  接続ボックス、
３３  開口。
【図１】
0005780198.tif 000002
【図２】
0005780198.tif 000003
【図３】
0005780198.tif 000004
【図４】
0005780198.tif 000005
【図５】
0005780198.tif 000006
【図６】
0005780198.tif 000007
【図７】
0005780198.tif 000008
【図８】
0005780198.tif 000009
【図９】
0005780198.tif 000010
【図１０】
0005780198.tif 000011